(57)【要約】      （修正有）【課題】小型物品例えば菓子類のような小型包装物や小型の雑貨類を縦型に多数陳列しかつ販売するのに便利な保持部材を提供する。【解決手段】底壁８とその両側の側壁９，１０とからなる長方形で長手方向に軌道を形成した横置きの基台２と、この基台２の前記側壁９，１０の長さ方向に形成された長溝１４，１５に沿って移動する突耳２０，２１を保持すき多数の物品の幅に合わせた一対の側壁１６，１７と端壁１９とを有する箱型の摺動枠３とから成る。この摺動枠３の底壁１８に形成した長手方向の切欠部内で前記軌道に沿って移動可能な支持体４の立上壁２６に形成した受止部２７と前記摺動枠３の端壁１９との間で多数の物品を収容する空間を形成すると共に、前記支持体４に前記端壁１９から引き離す方向に弾性力を負荷する弾発体５を備え、前記摺動枠３の端壁１９との間で前記多数の物品を弾性的に挟持する。【選択図】図３
0003178964.tif 000002
【実用新案登録請求の範囲】
【請求項１】
固定物に定置される固着部を有する底壁とその両側の側壁とからなる長方形で長手方向に軌道を形成した横置きの基台と、この基台の前記側壁の長さ方向に形成された長溝に沿って移動する突耳を有し保持すべき多数の物品の幅に合わせた一対の側壁と端壁とを有する箱型の摺動枠とから主として成り、この摺動枠の底壁に形成した長手方向の切欠部内で前記軌道に沿って移動可能な支持体の立上壁に形成した受止部と前記摺動枠の端壁との間で多数の物品を収容する空間を形成すると供に、前記支持体に前記端壁から引き離す方向に弾性力を負荷する弾発体を備え、前記支持体の立上壁の前記受止部と前記摺動枠の端壁との間で前記多数の物品を弾性的に挟持するようにした、多数の物品の陳列・販売用保持部材。
【請求項２】
前記基台の前面側に前記摺動枠の端壁を受け止める突片を形成してなる請求項1に記載の、多数の物品の陳列・販売用保持部材。
【請求項３】
前記支持枠に備えられる弾発体が前記摺動枠の端壁の近傍で前記軌道に末端部を固定されるぜんまいからなる請求項1に記載の、多数の物品の陳列・販売用保持部材。
【請求項４】
前記軌道を前記基台上に形成した一対のレールで構成してなる請求項１に記載の、多数の物品の陳列・販売用保持部材。
【請求項５】
基台内に前記摺動枠の底面を受け止める案内面を形成してなる請求項1に記載の、多数の物品の陳列・販売用保持部材。
【考案の詳細な説明】
【技術分野】
【０００１】
本考案は、物品例えばチョコレート、キャンデイ等の菓子類や、小型のパッケージ商品等を縦型に多数陳列しかつ販売するのに便利な保持部材に関するものである。
【背景技術】
【０００２】
従来は、販売店などではチョコレート、キャンデイ等の菓子類や、小型のパッケージング商品等を横型に並べて陳列・販売することが一般に利用されているが、場所を必要としたり、また使い勝手が悪いなどで不便なことが多かった。
【考案の開示】
【考案が解決しようとする課題】
【０００３】
本考案はこの種物品の陳列・販売に当たって多数の物品を縦型に並べて配置することで場所をとらず、また見た目にも新鮮でかつ取出しが容易な物品配置を達成した保持部材を提案するものである。
【課題を解決するための手段】
【０００４】
請求項1に記載の多数の物品の陳列・販売用保持部材によれば、固定物に定置される固着部を有する底壁とその両側の側壁とからなる長方形で長手方向に軌道を形成した横置きの基台と、この基台の前記側壁の長さ方向に形成された長溝に沿って摺動する突耳を有し保持すべき多数の物品の幅に合わせた一対の側壁と端壁とを有する箱型の摺動枠とから主としてなり、この摺動枠の底壁に形成した長手方向の切欠部内で前記軌動に沿って移動可能な支持体の立上壁に形成した受止部と前記摺動枠の端壁との間で多数の物品を摺ゆする空間を形成すると共に、前記支持体前記端壁から引き離す方向に弾性力を負荷する弾発体を備え、前記支持体の立上壁の前記受止部と前記摺動枠の端壁との間で前記多数の物品を弾性的に挟持するようにした。
【０００５】
請求項2によれば、請求項1に記載の保持材2において、前記支持体に備えられる弾発体が前記摺動枠の端壁の近傍で）前記軌道に末端部を固定されるぜんまいからなる。
【０００６】
請求項3によれば、請求項1記載の保持部材において、前記軌道を前記基台上に形成した一対のレールで構成してなる。
【０００７】
請求項4によれば、請求項1記載の保持部材において、前記基台内に前記摺動枠の底面を受け止める案内面を形成してなる。
【０００８】
請求項5によれば、請求項1記載の保持部材において、前記基台の前面側に前記摺動枠の端壁を受け止める突片を形成してなる。
【考案の効果】
【０００９】
本考案は、チョコレート、キャンデイ等の菓子類や、小型のパッケージング商品等を多数並べて陳列・販売する目的に則して、場所を取らずしかも取り扱い容易な構造を提案し、販売業者及び需要者の双方にとって有効な保持時部材を提供しうるものである。
【考案を実施するための最良の形態】
【００１０】
添付図面中、図1は本考案を構成する保持部材の全体の平面図、図2は図1のＩＩ―ＩＩ線に沿う断面図、図3は使用状態を示す説明的斜視図である。
【００１１】
本考案を構成する保持部材1の主要部分の大部分は、透明で硬質の合成樹脂をもって構成したがその材質について制限を有するものではない。そしてその主要部分は基台２と、摺動枠3と、支持体4とからなり、これにぜんまいなどのような弾発体5を付加したものである。
【００１２】
先ず、長方形の基台2は、固定部6に定着される固着部7（図2）を設けた底壁8とその両側の側壁9,10とからなり、この底壁8内には長方形で長手方向に一対のL字型レール11,12からなる軌道13を形成してなり、また前記側壁9,10には長手方向に長溝14,15が形成される。
【００１３】
一方、多数の物品の幅に合わせた一対の側壁16,17と底壁18と端壁19を有する箱型の前記摺動枠3は、前記基台2内に収容されて前記側壁16,17に形成した長溝14,15に突入する突耳20,21を介して前記基台2内で往復動する。すなわち、摺動枠3は突耳20,21が基台2の側壁16,17に形成した長溝14,15に沿って摺動するのである。
【００１４】
前記支持体4は前記軌道13のL字型レール11,12に嵌合される突縁22,23を有すると共に弾性体５としてのぜんまい24の本体部を支承する部材25と立上壁26とからなりこの立上壁26には物品を受け止めるU字型の受止部27が形成される。
【００１５】
上記支持体４は前記摺動枠3の長手方向に欠設された切欠部28内で前記軌道13に沿って往復動するものであって、この軌道13には前記ぜんまい24が敷設されてこのぜんまい24は摺動枠3の端壁19の近傍で基端部29が固定される。
【００１６】
前記弾性体5としてのぜんまい24は上記の構成からなる結果、ぜんまい24に負荷を掛ける方向すなわち前記摺動枠3の端壁19から支持体4の受止部27を引き離す方向に弾性力を付加することになる。
【００１７】
図1及び図2は基台2に摺動枠３が収容された初期の状態を示すものであり、この場合弾性体5としてのぜんまい24には負荷は掛けられていない。この状態から摺動枠3内に物品を積み込むには図3に参考的に示すように摺動枠3を基台2から引き出すのであるが、この基台2内の支持体4は移動しない。すなわち、ぜんまい24には弾発力は付加されることはない。
【００１８】
図1において、30,31は基台2の底壁8に形成される案内片であって、底壁8の長手方向に設けられており、摺動枠3を基台2から引き出す際の案内面の作用を呈する。なお、32は基台2の前面端に突設した突片であって摺動枠3内の空間に物品33が詰め込まれていて、摺動枠3が弾発体5の弾発力に抗して基台2内に収容されている場合のストッパの役割をする。なお、物品３３としては、チョコレート、キャンデイ等の菓子類や、小型のパッケージング商品等が想定される。
【００１９】
図3に示したように、摺動枠3を基台2から引き出した状態、すなわち、弾性力が負荷されていない状態で、摺動枠3の端壁19と支持体4の受止部27との間に物品33（図には１個のみが図示されている）を詰め込んだ後、摺動枠3を基台2に押込むのであるが、この時、支持体4に取り付けられている弾性体5すなわちぜんまい24は弾性力を負荷されるのである。このようにして、物品33を摺動枠3内に収容する際にぜんまい24には弾性が付加されていないため物品33の詰め込みが容易となる。
【図面の簡単な説明】
【００２０】
【図１】本考案を構成する保持部材の全体の平面図である。
【図２】図1のＩＩ―ＩＩに沿う断面図である。
【図３】使用状態を示す説明的参考図である。
【符号の説明】
【００２１】
１        保持部材
２        基台
３        摺動枠
４        支持体
５        弾発体
８        底壁
9,10      側壁
13        軌道
14,15     長溝
16,17     側壁
18        底壁
19        端壁
20,21     突耳
22,23     突縁
24        ぜんまい
25        部材
26        立上壁
27        受止部
28        切欠部
29        基端部
30,31     案内片
32        突片
33        物品
【図１】
0003178964.tif 000003
【図２】
0003178964.tif 000004
【図３】
0003178964.tif 000005